(57)【特許請求の範囲】
【請求項１】
ランプボディと前面レンズで画成された灯室内には、光源を装着したリフレクターが収容され、前記光源の前方には、前記リフレクターにその脚部を取着したシェードが配置された車両用灯具において、
前記シェードの脚部は、前記光源を挟んでそれぞれ後方に延出する一対の脚で構成され、一方の脚は前記リフレクターにねじ締結され、
他方の脚の先端部は、一対の肩部の間からＬ字縦棒状部領域が延出形成され、前記Ｌ字縦棒状部領域の先端が前記肩部の一方と対向するＬ字横棒状部領域とされた略Ｌ字型の係合片とされるともに、前記肩部から前記係合片のＬ字横棒状部領域までの前後長さが前記リフレクター側の係合孔の前後長さにほぼ等しく形成され、
前記係合片の付け根部の幅が前記リフレクター側の係合孔の幅にほぼ等しく形成されるとともに、前記係合片のＬ字コーナ部外側が斜めにカットされて、前記係合片を係合孔に挿入できるように構成され、
前記係合片が前記係合孔の周縁部に係合して抜け止め保持されることを特徴とする車両用灯具。
【請求項２】
前記肩部は前記係合片の左右に設けられるとともに、前記係合片のＬ字横棒状部領域と対向する肩部と反対側の肩部が、係合片延出方向と直交する方向に対し傾斜するいかり肩形状に形成されたことを特徴とする請求項１に記載の車両用灯具。
【発明の詳細な説明】
【０００１】
【発明の属する技術分野】
本発明は、脚部をリフレクターに取着することで光源の前方に配置できるシェードを備えた車両用灯具に係り、特にシェードの脚部が後方に延出する一対の脚で構成され、一方の脚がリフレクターにねじ締結され、他方の脚がリフレクター側の係合孔に係合して抜け止めされる構造の車両灯具に関する。
【０００２】
【従来の技術】
この種の灯具としては、図７に示されるように、リフレクター１に装着された光源４の前方にシェード６が配置されている。シェード６には一対の脚７ａ，７ｂが設けられており、一方の脚７ａはリフレクター１にねじ締結され、他方の脚７ｂはリフレクター１側の係合孔２に係合保持されている。そして振動などで脚７ｂが係合孔２に対しがたつかないように、脚７ｂの先端部７ｂ１を折り曲げるようにしている。
【０００３】
【発明の解決しようとする課題】
しかし前記した従来技術では、係合孔２に挿入した脚７ｂの先端部を折り曲げる工程が必要で、それだけシェード６の取着に時間がかかるという問題があった。また、脚７ｂの先端部７ｂ１を予め折り曲げた形状に成形しておくことで、脚挿入後の折り曲げ工程を省くことができるが、脚７ｂの係合孔２への係合（挿入）が困難となるため実現できなかった。
【０００４】
本発明は前記従来技術の問題点に鑑みてなされたもので、その目的は、リフレクターへのシェードの取着が簡単で取着部にがたが発生しない車両灯具を提供することにある。
【０００５】
【課題を解決するための手段】
前記課題を達成するために、請求項１に係る発明は、ランプボディと前面レンズで画成された灯室内には、光源を装着したリフレクターが収容され、前記光源の前方には、前記リフレクターにその脚部を取着したシェードが配置された車両用灯具において、前記シェードの脚部は、前記光源を挟んでそれぞれ後方に延出する一対の脚で構成され、一方の脚は前記リフレクターにねじ締結され、他方の脚の先端部は、一対の肩部の間からＬ字縦棒状部領域が延出形成され、前記Ｌ字縦棒状部領域の先端が前記肩部の一方と対向するＬ字横棒状部領域とされた略Ｌ字型の係合片とされるともに、前記肩部から前記係合片のＬ字横棒状部領域までの前後長さが前記リフレクター側の係合孔の前後長さにほぼ等しく形成され、前記係合片の付け根部の幅が前記リフレクター側の係合孔の幅にほぼ等しく形成されるとともに、前記係合片のＬ字コーナ部外側が斜めにカットされて、前記係合片を係合孔に挿入できるように構成され、前記係合片が前記係合孔の周縁部に係合して抜け止め保持されることを特徴とする。
【０００６】
（作用）係合片を回動しながらリフレクター側の係合孔に挿入することで、係合片を係合孔にスムーズに挿入でき、挿入された係合片のＬ字横棒状部領域が肩部と協働して係合孔の周縁部を前後方向に挟持し、脚が係合孔に対し、がたなく抜け止め保持される。また、係合片を回動しながらリフレクター側の係合孔に挿入するに際し、係合片のＬ字コーナ部外側が挿入の邪魔になるが、挿入の邪魔をするＬ字コーナ部外側を斜めにカットすることで、係合片のスムーズな挿入が可能となる。
【０００７】
さらに、係合片付け根部の左右の側縁部がリフレクター側の係合孔の内周面に当接して、係合片が係合孔に対し左右方向がたなく保持される。
【０００８】
請求項２に係る発明は、請求項１に記載の車両用灯具において、前記肩部を前記係合片の左右に設けるとともに、前記係合片のＬ字横棒状部領域と対向する肩部と反対側の肩部を、係合片延出方向と直交する方向に対し傾斜するいかり肩形状に形成するようにした。
（作用）いかり肩形状の肩部では、肩部の先端部だけが係合孔の周縁部に当接して、ほぼＬ字型の係合片が係合孔の周縁部に係合する際の寸法上の誤差を吸収する。また、係合片のＬ字横棒状部領域と左右の肩部が協働して係合孔の周縁部を前後方向に挟持するが、いかり肩形状の肩部では鋭角状の肩部先端だけが係合孔周縁部に当接して、係合片における係合孔周縁部の挟持力を高めるべく作用する。
【０００９】
【発明の実施の形態】
次に、本発明の実施の形態を実施例に基づいて説明する。
【００１０】
図１〜図６は本発明の一実施例を示すもので、図１は本発明の一実施例であるフォグランプの正面図、図２は同フォグランプの水平面図（図１に示す線II−IIに沿う断面図)、図３は同フォグランプの縦断面図（図１に示す線III−IIIに沿う断面図)、図４は要部であるシェードの拡大斜視図、図５は脚先端の係合片がリフレクター側の係合孔に係合した状態の断面図、図６は係合片がリフレクター側の係合孔に係合する様子を説明する図である。
【００１１】
これらの図において、本実施例のランプは、フロントバンパーＢの開口部Ｂ１内に収容される、上下に低く左右に長い形状のフォグランプで、容器状のランプボディ１０の前面開口部に前面レンズ１１が組み付けられて灯室Ｓが画成され、灯室Ｓ内には、エイミング機構を構成する１本のエイミングスクリュー１４と２個の玉継手１６，１８によって、光源を装着したリフレクター２０が傾動可能に支持されている。
【００１２】
エイミングスクリュー１４は、ランプを正面視した車両幅方向内側寄りの下方位置において、ランプボディ１０の背面壁に設けられたスクリュー挿通孔（図示せず）に回転可能に支承されて前方に延出し、スクリュー１４の前端部はリフレクター２０の裏側に嵌着されたナット１５（図１参照）に螺合している。玉継手１６，１８は、ランプボディ１０の背面壁に突設された玉部１６ａ（１８ａ）と、リフレクター２０の裏側のブラケットに嵌着された玉部支承用の玉受け部１６ｂ（１８ｂ）で構成された構造で、正面視同一レベルに設けられている（図１，２参照）。
【００１３】
そして、スクリュー１４の回動によりナット１５がスクリュー１４に沿って進退して、リフレクター２０が玉継手１６，１８を通る水平軸Ｌｘ回りに傾動し、これによってランプの光軸Ｌを上下方向に調整（エイミング）できる。
【００１４】
エイミング機構に支持されているリフレクター２０の前面には、有効多重反射面２１が形成され、リフレクター２０後頂部のバルブ挿着孔２０ａには、光源であるバルブ２２が装着されている。
【００１５】
また、バルブ２２の前方には、リフレクター２０にその脚部を取着した金属製のシェード３０が配置されている。シェード３０は、リフレクター２０の有効多重反射面２１以外の領域に向かう光をカットしてグレア光の発生を阻止するためのもので、バルブ２２の前方に配置されるキャップ型のシェード本体３２と、シェード本体３２からそれぞれ後方に延出する一対の脚３４，３６とを備えて構成されている。
【００１６】
脚３４，３６は、バルブ２２を挟んで上下に対向するように設けられ、上側の脚３４の先端部３５は外側上方にほぼ直角に屈曲して、リフレクター２０側のボス孔２２にねじ２３によって締結される。一方、下側の脚３６の先端部は、左右の肩部３７ａ，３７ｂの間からＬ字縦棒状部領域３８ａが延出形成され、このＬ字縦棒状部領域３８ａの先端が前記肩部の一方３７ａと対向するＬ字横棒状部領域３８ｂとされた略Ｌ字型の係合片３８に形成されて、この係合片３８がリフレクター２０側の係合孔２４に係合して抜け止め保持される。
【００１７】
即ち、略Ｌ字型の係合片３８は、図５に拡大して示すように、左右の肩部３７ａ，３７ｂに連続する付け根側のＬ字縦棒状部領域３８ａと、先端側のＬ字横棒状部領域３８ｂから構成されている。そして、肩部３７ａ，３７ｂからＬ字横棒状部領域３８ｂまでの前後長さＨが係合孔２４の前後長さｈにほぼ等しく形成されており、係合孔２４に挿入された係合片３８は、Ｌ字横棒状部領域３８ｂと肩部３７ａ，３７ｂが係合孔２４の周縁部２５を前後方向に挟持することで、前後方向にがたつくことなく抜け止め保持される。
【００１８】
また、係合片３８におけるＬ字縦棒状部領域３８ａ付け根部３８ａ１の幅Ｄが係合孔２４の幅ｄにほぼ等しく形成されており、係合孔２４に挿入されたＬ字縦棒状部領域付け根部３８ａ１が係合孔２４の内周面に当接して、係合片３８が係合孔２４に対し左右方向にも、がたなく保持される。
【００１９】
また、係合片３８のＬ字コーナ部外側が符号３８ｃに示すように斜めにカットされて、ほぼＬ字型の係合片３８をスムーズに係合孔２４に挿入係合できるように構成されている。即ち、図５仮想線に示すような直角コーナ部をもつ係合片３８'をリフレクター側の係合孔２４に挿入するには、係合片３８'を真っ直ぐに挿入する場合は勿論、たとえ係合片を回動しながら挿入しても、係合片のＬ字直角コーナ部外側が挿入の邪魔になる。しかるに本実施例では、挿入の邪魔をするＬ字コーナ部外側が符号３８ｃに示すように斜めにカットされており、これによって、図６矢印Ａに示すように、斜めカット部３８ｃが係合孔２４の開口方向（前後方向）と一致するように、係合孔２４に対し斜めに係合片３８を挿入し、Ｌ字横棒状部領域３８ｂ先端部が係合孔２４を通過した時点で、図６矢印Ｂに示すように、係合片３８を回動させつつ挿入することで、係合片３８を係合孔２４にスムーズに係合させることができる。
【００２０】
また、係合孔２４の周縁部に係合するＬ字横棒状部３８ｂの側縁部３８ｂ１は、図５に示すように、係合片延出方向Ｘと直交する方向Ｙに対して僅かに（θ１だけ）傾斜した形状に形成され、Ｌ字横縦状部領域３８ａ付け根部の側縁部３８ａ１が係合片延出方向Ｘに対して僅かに（θ２だけ）傾斜した形状に形成されて、係合片３８を回動させて係合孔２４に係合させ易いようになっている。
【００２１】
また、Ｌ字横棒状部３８ｂ非形成側の肩部（Ｌ字横棒状部３８ｂの側縁３８ｂ１と対向する肩部３７ａと反対側の肩部）３７ｂは、係合片延出方向Ｘと直交する方向Ｙに対して僅かに（θ３だけ）傾斜するいかり肩形状に形成されており、いかり肩形状の肩部３７ｂでは、肩部の先端部３７ｂ１だけが係合孔周縁部に当接して、係合片３８と係合孔２４の寸法上の誤差が吸収されて、係合片３８と係合孔２４間の適正な係合が確保される。さらに、係合片のＬ字横棒状部領域３８ｂと左右の肩部３７ａ，３７ｂが協働して係合孔周縁部２５を前後方向に挟持するが、いかり肩形状の肩部３７ｂでは鋭角状の肩部先端３７ｂ１だけが係合孔周縁部２５に当接して、係合片３８における係合孔周縁部２５の挟持力が高められて、係合片３８の抜け止め保持が確保されて、それだけ脚３６の取り付け強度が高くなっている。
【００２２】
また、前記した実施例では、光源を挟んで上下に対向する上側の脚３４がリフレクター２０にねじ締結され、下側の脚３６が係合孔２４に係合して抜け止め保持されているが、下側の脚３６がリフレクターにねじ締結され、上側の脚３４が係合孔に係合して抜け止め保持された構造であってもよい。
【００２３】
また、前記した実施例では、ねじ締結される脚と係合孔に係合して抜け止め保持される脚が光源を挟んで上下に対向して設けられているが、光源を挟んで左右方向や斜め方向に対向して設けられていてもよい。
【００２４】
【発明の効果】
以上の説明から明らかなように、請求項１に係る車両用灯具によれば、シェードをリフレクターに取着するには、一方の脚先端（係合片）を係合孔に挿入し、他の脚をリフレクターにねじ締結するだけでよいので、シェードのリフレクターへの取着が簡単である。
【００２５】
また、脚先端の係合片が係合孔に対しがたなく抜け止め保持されて、シェードがリフレクターに対しがたつかないので、振動により配光がぶれるなどの不具合もない。
【００２６】
さらに、係合片のＬ字コーナ部外側を斜めにカットしたので、係合片形成側の脚を係合孔にスムーズに係合させることができるので、シェードのリフレクターへの取着が非常に簡単である。
【００２８】
請求項２に係る発明によれば、係合片による係合孔周縁部の挟持力が大きいので、シェードがリフレクターに対しより一層がたつかないように保持されて、配光がぶれるなどの不具合が一掃される。
【図面の簡単な説明】
【図１】本発明の一実施例であるフォグランプの正面図の正面図である。
【図２】同フォグランプの水平断面図（図１に示す線II−IIに沿う断面図)である。
【図３】同フォグランプの縦断面図（図１に示す線III−IIIに沿う断面図)である。
【図４】要部であるシェードの拡大斜視図である。
【図５】脚先端の係合片がリフレクター側の係合孔に係合した状態の断面図である。
【図６】脚先端の係合片がリフレクター側の係合孔に係合する様子を説明する図である。
【図７】従来の灯具におけるシェード取着部の拡大断面図である。
【符号の説明】
１０  ランプボディ
１１  前面レンズ
Ｓ  灯室
１４  エイミング機構構成部材であるエイミングスクリュー
１６，１８  玉継手
２０  リフレクター
２１  有効多重反射面
２２  光源であるバルブ
２３  締結ねじ
３０  シェード
３２  シェード本体
３４，３６  脚
３７ａ，３７ｂ  脚の肩部
３８  略Ｌ字型の係合片
３８ａ  係合片のＬ字縦棒状部領域
３８ａ１  係合片のＬ字縦棒状部領域付け根部
３８ｂ  係合片のＬ字横棒状部領域
３８ｃ  Ｌ字コーナ部の斜めカット部
Ｈ  Ｌ字縦棒状部領域の前後長さ
ｈ  係合孔の前後長さ
Ｄ  Ｌ字縦棒状部領域付け根部の幅
ｄ  係合孔の幅
Ｘ  係合片延出方向
Ｙ  係合片延出方向と直交する方向
【図１】
0003920117.tif 000002
【図２】
0003920117.tif 000003
【図３】
0003920117.tif 000004
【図４】
0003920117.tif 000005
【図５】
0003920117.tif 000006
【図６】
0003920117.tif 000007
【図７】
0003920117.tif 000008